(57)【要約】【課題】フィルタエレメントにＩＣタグを取り付け、かつ、ＩＣタグと液体との接触を避けることができる。【解決手段】フィルタエレメント２０のうちの、濾材２１の上端面を覆うように設けられた上プレート２４の内部にＩＣタグ４０が設けられる。また、フィルタエレメント２０が挿入されるケース１０には蓋体３０が設けられ、蓋体３０にはアンテナ５１が設けられる。【選択図】図２
2019115879.tif 000002
【特許請求の範囲】
【請求項１】
上端が開口している略有底筒形状のケースと、
前記ケースの上端を覆うように、前記ケースに設けられる蓋体と、
前記ケース及び前記蓋体により形成される内部空間に設けられる略円筒形状のフィルタエレメントであって、略円筒形状の濾材と、前記濾材の上端面を覆うように設けられた上プレートと、を有するフィルタエレメントと、
前記上プレートの内部に設けられたＩＣタグと、
前記蓋体に設けられたアンテナと、
を備えたことを特徴とするフィルタ装置。
【請求項２】
請求項１に記載のフィルタ装置であって、
前記上プレートには、前記濾材が下側に当接する板状部と、前記板状部に設けられた凸部と、を有し、
前記凸部の内部には、前記ＩＣタグが設けられ、
前記蓋体には、前記凸部の周方向の位置決めを行う突起が形成され、
前記アンテナは、前記突起の近傍に設けられ、
前記フィルタエレメントが前記ケースの内部に挿入された状態では、前記凸部と前記突起とが隣接する
ことを特徴とするフィルタ装置。
【請求項３】
請求項２に記載のフィルタ装置であって、
前記凸部は、側面視において前記板状部から上側に突出し、平面視において前記板状部の外側に突出し、
前記フィルタエレメントが前記ケースの内部に挿入された状態では、前記ＩＣタグの端面と前記アンテナの端面とが対向する
ことを特徴とするフィルタ装置。
【請求項４】
上端が開口している略有底筒形状のケースと、
前記ケースの上端を覆うように、前記ケースに設けられる蓋体と、
前記ケース及び前記蓋体により形成される内部空間に設けられる略円筒形状のフィルタエレメントであって、略円筒形状の濾材と、前記濾材の上端面を覆うように設けられた上プレートと、を有し、前記濾材と前記上プレートとが接着剤により接着されたフィルタエレメントと、
前記接着剤の内部に設けられた略板状のＩＣタグと、
前記蓋体に設けられたアンテナと、
を備えたことを特徴とするフィルタ装置。
【請求項５】
請求項４に記載のフィルタ装置であって、
前記ＩＣタグは、略中空円板形状であり、
前記ＩＣタグの内径は、前記濾材の内径より大きい
ことを特徴とするフィルタ装置。
【請求項６】
請求項４に記載のフィルタ装置であって、
前記ＩＣタグは、略円板形状であり、
前記フィルタエレメントは、前記ＩＣタグと前記アンテナが直線上に並ぶように設けられる
ことを特徴とするフィルタ装置。
【請求項７】
請求項１から６のいずれか一項に記載のフィルタ装置であって、
前記蓋体は、略円筒形状の筒状部を有し、
前記筒状部の内径は、前記上プレートの外径より大きく、
前記筒状部には、側面を貫通する貫通孔が形成され、
前記アンテナは、前記貫通孔の内部に設けられる
ことを特徴とするフィルタ装置。
【発明の詳細な説明】
【技術分野】
【０００１】
本発明は、フィルタ装置に関する。
【背景技術】
【０００２】
例えば建設機械などの油圧回路を備える装置では、当該油圧回路中に濾過装置が設けられている。特許文献１には、作動油を濾過する濾材を有するフィルタエレメントと、フィルタエレメントが収容されるタンクと、を備えたリターンフィルタユニットが開示されている。
【先行技術文献】
【特許文献】
【０００３】
【特許文献１】特開２００８−２９０００４号公報
【発明の概要】
【発明が解決しようとする課題】
【０００４】
近年、模造品が取り付けられることを防止したり、稼働時間等を管理したりするため、フィルタエレメントにＩＣタグを取り付けたいという要求がある。ＩＣタグは液体に浸かると簡単に壊れてしまう。そこで、フィルタ装置にＩＣタグを取り付ける場合には、ＩＣタグの故障を防ぐためにＩＣタグが液体と接しないようにすることが好ましい。しかしながら、特許文献１に記載の発明では、リターンフィルタユニットが全て液体に接してしまうため、リターンフィルタユニットにＩＣタグを取り付ける適切なスペースが無いという問題がある。
【０００５】
本発明はこのような事情に鑑みてなされたもので、フィルタエレメントにＩＣタグを取り付け、かつ、ＩＣタグと液体との接触を避けることができるフィルタ装置を提供することを目的とする。
【課題を解決するための手段】
【０００６】
上記課題を解決するために、本発明に係るフィルタ装置は、例えば、上端が開口している略有底筒形状のケースと、前記ケースの上端を覆うように、前記ケースに設けられる蓋体と、前記ケース及び前記蓋体により形成される内部空間に設けられる略円筒形状のフィルタエレメントであって、略円筒形状の濾材と、前記濾材の上端面を覆うように設けられた上プレートと、を有するフィルタエレメントと、前記上プレートの内部に設けられたＩＣタグと、前記蓋体に設けられたアンテナと、を備えたことを特徴とする。
【０００７】
本発明に係るフィルタ装置によれば、フィルタエレメントのうちの、濾材の上端面を覆うように設けられた上プレートの内部にＩＣタグが設けられる。また、フィルタエレメントが挿入されるケースには蓋体が設けられ、蓋体にはアンテナが設けられる。これにより、フィルタエレメントにＩＣタグを取り付け、かつ、ＩＣタグと液体との接触を避けることができる。
【０００８】
ここで、前記上プレートには、前記濾材が下側に当接する板状部と、前記板状部に設けられた凸部と、を有し、前記凸部の内部には、前記ＩＣタグが設けられ、前記蓋体には、前記凸部の周方向の位置決めを行う突起が形成され、前記アンテナは、前記突起の近傍に設けられ、前記フィルタエレメントが前記ケースの内部に挿入された状態では、前記凸部と前記突起とが隣接してもよい。これにより、ＩＣタグとアンテナとが隣接し、センシングがしやすくなる。
【０００９】
ここで、前記凸部は、側面視において前記板状部から上側に突出し、平面視において前記板状部の外側に突出し、前記フィルタエレメントが前記ケースの内部に挿入された状態では、前記ＩＣタグの端面と前記アンテナの端面とが対向してもよい。これにより、ＩＣタグとアンテナとが最も違い位置に配置され、センシングが確実に行われる。
【００１０】
本発明に係るフィルタ装置は、例えば、上端が開口している略有底筒形状のケースと、前記ケースの上端を覆うように、前記ケースに設けられる蓋体と、前記ケース及び前記蓋体により形成される内部空間に設けられる略円筒形状のフィルタエレメントであって、略円筒形状の濾材と、前記濾材の上端面を覆うように設けられた上プレートと、を有し、前記濾材と前記上プレートとが接着剤により接着されたフィルタエレメントと、前記接着剤の内部に設けられた略板状のＩＣタグと、前記蓋体に設けられたアンテナと、を備えたことを特徴とする。これにより、フィルタエレメントにＩＣタグを取り付け、かつ、ＩＣタグと液体との接触を避けることができる。また、ＩＣタグを樹脂でコーティングする工数や費用を削減することができる。
【００１１】
ここで、前記ＩＣタグは、略中空円板形状であり、前記ＩＣタグの内径は、前記濾材の内径より大きくてもよい。これにより、ＩＣタグとアンテナとの位置合わせが不要であり、フィルタ装置の組み立てが容易となる。
【００１２】
ここで、前記ＩＣタグは、略円板形状であり、前記フィルタエレメントは、前記ＩＣタグと前記アンテナが直線上に並ぶように設けられてもよい。これにより、接着剤にＩＣタグを封入するのが容易となる。
【００１３】
ここで、前記蓋体は、略円筒形状の筒状部を有し、前記筒状部の内径は、前記上プレートの外径より大きく、前記筒状部には、側面を貫通する貫通孔が形成され、前記アンテナは、前記貫通孔の内部に設けられてもよい。これにより、蓋体の内部にアンテナを取り付けることができる。また、アンテナの蓋体への取り付けが容易である。
【発明の効果】
【００１４】
本発明によれば、フィルタエレメントにＩＣタグを取り付け、かつ、ＩＣタグと液体との接触を避けることができる。
【図面の簡単な説明】
【００１５】
【図１】本発明の一実施形態であるリターンフィルタ１が設けられたタンク１００の概略を示す断面斜視図である。
【図２】リターンフィルタ１の概略を示す断面図である。
【図３】リターンフィルタ１の概略を示す平面図であり、蓋体３０の一部を外した状態を示す図である。
【図４】プレート２４及び筒状部３１を斜め上方から見たときの斜視図であり、一部を拡大表示した図である。
【図５】リターンフィルタ１を斜め下方から見たときの断面斜視図であり、一部を拡大表示した図である。
【図６】リターンフィルタ２の断面斜視図であり、一部を拡大表示した図である。
【図７】フィルタエレメント２０Ａの平面図であり、プレート２４Ａを部分的に切断した図である。
【図８】リターンフィルタ３の断面斜視図であり、一部を拡大表示した図である。
【図９】フィルタエレメント２０Ｂの平面図であり、プレート２４Ｂを部分的に切断した図である。
【図１０】変形例にかかるフィルタエレメント２０Ｃの概略図である。
【発明を実施するための形態】
【００１６】
以下、本発明の実施形態を、図面を参照して詳細に説明する。本実施の形態では、濾過対象の液体として作動油を例に説明するが、濾過対象の液体は作動油に限られない。また、以下の実施の形態では、リターンフィルタを例に説明するが、本発明のフィルタ装置はリターンフィルタに限られない。
【００１７】
＜第１の実施の形態＞
図１は、本発明の一実施形態であるリターンフィルタ１が設けられたタンク１００の概略を示す断面斜視図である。図１では断面を示すハッチングを省略する。
【００１８】
タンク１００は、作動油を貯留するためのタンクである。タンク１００は、図示しない作業機械（例えば、油圧装置）に設置されるものであり、この油圧装置へ供給する作動油の油圧回路内に設けられている。ただし、タンク１００は、油圧回路内に設けられるものに限られない。
【００１９】
タンク１００は、例えば箱形であり、内部が空洞である。タンク１００は、主として、底面１０１と、底面１０１と対向する上面１０２と、底面１０１及び上面１０２と略直交する側面１０３と、を有する。上面１０２には、開口部１０２ａ（図２参照）が形成される。タンク１００の内部には、開口部１０２ａからリターンフィルタ１が挿入される。開口部１０２ａは、リターンフィルタ１の蓋体３０（後に詳述）により覆われる。
【００２０】
側面１０３には、作動油をリターンフィルタ１の内部へ流入させる流入部（図示省略）が嵌挿される。流入部は、タンク１００の外部からリターンフィルタ１へと作動油を導く。リターンフィルタ１に導かれた作動油は、リターンフィルタ１で濾過されて、タンク１００内に貯留される。
【００２１】
底面１０１近傍には、タンク１００内の作動油を油圧ポンプ（図示せず）等へ流出させる図示しない流出口が形成される。タンク１００の内側には、サクションストレーナ９が設けられ、サクションストレーナ９を通過した作動油は、流出口からタンク１００の外側へと流出する。
【００２２】
タンク１００の内部には、リターンフィルタ１から流出した作動油が直接サクションストレーナ９に当たらないように、仕切り板１０５が設けられる。なお、仕切り板１０５は必須ではない。
【００２３】
以下、リターンフィルタ１について説明する。図２は、リターンフィルタ１の概略を示す断面図である。図２では断面を示すハッチングを省略し、また中心線より−ｘ側の部分についての図示を省略する。図３は、リターンフィルタ１の概略を示す平面図であり、蓋体３０の一部を外した状態を示す図である。
【００２４】
リターンフィルタ１は、主として、ケース１０と、フィルタエレメント２０と、蓋体３０と、ＩＣタグ４０と、アンテナ組立体５０と、を有する。ＩＣタグ４０は、アンテナ５１（後述）から受信した電波を用いて、内蔵したメモリのデータを非接触で読み書きする小型の電子部品である。アンテナ５１は、外部機器に接続されており、ＩＣタグ４０からの電波を受信する。
【００２５】
ケース１０は、耐腐食性の高い金属（例えば、ステンレス）により形成される。ケース１０は、タンク１００の上面１０２から下側（−ｚ側）に突出するようにタンク１００の内部に設けられる（図１参照）。
【００２６】
ケース１０は、有底略筒形状であり、上端面が開口している。ケース１０は、内部が空洞であり、内部にはフィルタエレメント２０等が設けられる。
【００２７】
ケース１０は、底面１１を有する。底面１１を貫通するように、流出部１２が設けられる。流出部１２は、フィルタエレメント２０の内部の空間（空間Ｓ２）とケース１０の外部の空間（空間Ｓ３、図１参照）とを連通する。
【００２８】
ケース１０の上端近傍には、取付部材１３が設けられる。ケース１０は、取付部材１３を介してタンク１００に設けられる。また、取付部材１３は、ケース１０と筒状部３１（後に詳述）とを一体化する。
【００２９】
ケース１０の側面には、図示しない流入部が設けられる。流入部は、ケース１０の内部かつフィルタエレメント２０の外部の空間（空間Ｓ１）と、ケース１０の外部かつタンク１００の内部の空間（空間Ｓ３、図１参照）とを連通する。流入部から作動油が流入することで、ケース１０内に作動油が貯留される。
【００３０】
フィルタエレメント２０は、有底略筒形状の部材であり、ケース１０及び蓋体３０により形成される内部空間に設けられる。フィルタエレメント２０は、主として、濾材２１と、外筒２２と、内筒２３と、プレート２４と、プレート２５と、ＩＣタグ４０と、を有する。外筒２２、内筒２３及びプレート２４、２５は、濾材２１と一体化される。
【００３１】
濾材２１は、両端に開口を有する略円筒形状の部材である。濾材２１は、合成樹脂や紙等を用いた濾紙をひだ折りにし、ひだ折りにした濾紙の両端を連結して円筒状にすることによって形成される。濾材２１の内側には、略全域に作動油が通過する孔が形成された内筒２３が設けられる。
【００３２】
濾材２１の外側には外筒２２が設けられ、濾材２１の内側には内筒２３が設けられる。外筒２２及び内筒２３には、作動油が通過する孔（図示省略）が全面に設けられる。
【００３３】
濾材２１の上側の端には、樹脂製のプレート２４が設けられる。プレート２４は濾材２１、外筒２２及び内筒２３の上端面を覆う。プレート２４と濾材２１との間には接着剤６５が塗布され、プレート２４と濾材２１とは接着剤６５により接着される。接着剤６５は、塗布時には液体であるが、時間経過と共に固まることでプレート２４と濾材２１を接着する。ここで、接着剤６５は、樹脂、ゴム、エラストマーを主材料とする様々な種類の有機接着剤を用いることができる。また、接着剤６５に二酸化ケイ素等の粉末が含まれていてもよい。
【００３４】
プレート２４は、主として、濾材２１が下側に当接するように、濾材２１の上端面に沿って設けられた略円板形状の板状部２４ａと、板状部２４ａの外周縁に設けられた筒状部２４ｂと、板状部２４ａの内周縁に設けられた筒状部２４ｃと、板状部２４ａに設けられた凸部２４ｄと、を有する。筒状部２４ｂは、板状部２４ａから下方向（−ｚ方向）に突出する。筒状部２４ｃは、板状部２４ａから上方向（＋ｚ方向）に突出する。
【００３５】
凸部２４ｄは、側面視（ここでは図２に示すように、ｙ方向から見た場合）において板状部２４ａから上側に突出する。また、凸部２４ｄは、平面視（ここでは図３に示すように、ｚ方向から見た場合）において板状部２４ａの外側に突出する。
【００３６】
ＩＣタグ４０は樹脂によりコーティングされている。また、ＩＣタグ４０は、作動油に接しないようにプレート２４の内部に設けられる。本実施の形態では、凸部２４ｄの内部にＩＣタグ４０が設けられる。
【００３７】
濾材２１の下側の端には、プレート２５が設けられる。プレート２５は濾材２１、外筒２２及び内筒２３の下端面を覆う略中空円板形状の部材である。プレート２５の上側の面には、濾材２１が挿入される凹部２５ａが形成される。凹部２５ａと濾材２１との間には接着剤６５が塗布されており、凹部２５ａと濾材２１とは接着剤６５により接着される。
【００３８】
プレート２５の略中央に形成された孔２５ｂには、流出部１２が挿入される。孔２５ｂと流出部１２とは、シール部材（例えば、Ｏリング）６１によりシールされる。
【００３９】
蓋体３０は、タンク１００の外側に設けられる。蓋体３０は、ケース１０の上端面の開口部を覆うように、ケース１０（ここでは、取付部材１３）及びプレート２４（ここでは、筒状部２４ｃ）に設けられる。
【００４０】
蓋体３０は、耐腐食性の高い金属（例えば、ステンレス）により形成される。蓋体３０は、主として、筒状部３１と、カバー３２と、取付部３３と、を有する。筒状部３１は、略円筒形状であり、ケース１０（ここでは、取付部材１３）に固定される。カバー３２は、略板状の部材であり、筒状部３１の上側（＋ｚ側）に、筒状部３１の中空部を覆うように設けられる。カバー３２は、筒状部３１に対して着脱可能に設けられる。
【００４１】
筒状部３１の内径は、プレート２４の外径より大きい。筒状部３１の側面には、当該側面を貫通する孔３１ａが形成される。孔３１ａにアンテナ組立体５０を挿入して固定（例えば、螺合）することで、筒状部３１にアンテナ組立体５０が設けられる。アンテナ組立体５０は、アンテナ５１を含む。したがって、蓋体３０の内部に、アンテナ５１を容易に取り付けることができる。
【００４２】
筒状部３１の側面には、２本の突起３１ｂ（図３参照）が形成される。突起３１ｂは、筒状部３１の内周面に、内側に突出するように形成される。突起３１ｂは、孔３１ａの近傍、ここでは孔３１ａの両側に形成される。つまり、アンテナ５１は、突起３１ｂの近傍に設けられる。
【００４３】
突起３１ｂは、凸部２４ｄの周方向の位置決めを行う。２本の突起３１ｂの間には、凸部２４ｄが配置される。つまり、フィルタエレメント２０がケース１０の内部に挿入された状態では、凸部２４ｄと突起３１ｂとが隣接する。なお、凸部２４ｄと突起３１ｂとが当接してもよい。
【００４４】
カバー３２には取付部３３が設けられる。取付部３３は、略筒状の部材であり、カバー３２の下側（−ｚ側）に突出する。取付部３３の下側には、バルブ６３が設けられる。通常はバルブ６３が閉じているが、濾材２１が目詰まりしてケース１０内の圧力が高くなると、バルブ６３が開き、空間Ｓ１から空間Ｓ２に作動油を流すことで、リターンフィルタ１の破損を防止する。バルブ６３は既に公知であるため、説明を省略する。
【００４５】
取付部３３は筒状部２４ｃに挿入され、バルブ６３は空間Ｓ２に挿入される。取付部３３と筒状部２４ｃとは、シール部材（例えば、Ｏリング）６２によりシールされる。
【００４６】
次に、ＩＣタグ４０及びアンテナ組立体５０の取り付け及び配置について説明する。図４は、プレート２４及び筒状部３１を斜め上方から見たときの斜視図であり、一部を拡大表示した図である。図５は、リターンフィルタ１を斜め下方から見たときの断面斜視図であり、一部を拡大表示した図である。図５では断面を示すハッチングを省略する。
【００４７】
凸部２４ｄには、凸部２４ｄの径方向外側の端面に開口する穴２４ｅが、凸部２４ｄの長手方向に沿って設けられる。ＩＣタグ４０は、略円筒形状であり、穴２４ｅの内部に挿入されて固定される。したがって、ＩＣタグ４０のうちの穴２４ｅの開口部から視認可能な端面４０ａのみ作動油と接する。このように、樹脂コーティングされたＩＣタグ４０が極力液体と接しないようにすることで、ＩＣタグ４０の故障を防ぐことができる。
【００４８】
なお、穴２４ｅにＩＣタグ４０を挿入した後、穴２４ｅの開口部を樹脂等で覆うことで、ＩＣタグ４０が完全に液体と接しないようにすることができる。
【００４９】
筒状部３１の側面を貫通する孔３１ａには、アンテナ組立体５０が挿入されている。孔３１ａの内周面側の開口からアンテナ５１の端面５１ａが露出する。
【００５０】
筒状部３１の側面に形成された２本の突起３１ｂは、フィルタエレメント２０の位置決めの役割を果たす。フィルタエレメント２０は、２本の突起３１ｂの間に凸部２４ｄが配置されるように、ケース１０の内部に挿入される。これにより、ＩＣタグ４０とアンテナ５１が直線上に並ぶ。また、凸部２４ｄは、側面視において板状部２４ａから上側に突出し、平面視において板状部２４ａの外側に突出しているため、フィルタエレメント２０がケース１０の内部に挿入された状態では、ＩＣタグ４０とアンテナ５１とが隣接し、ＩＣタグ４０の端面４０ａとアンテナ５１の端面５１ａとが対向する。したがって、ＩＣタグ４０とアンテナ５１とが極力近くに配置され、これによりセンシングを確実に行うことができる。
【００５１】
次に、このように構成されたリターンフィルタ１の機能について説明する。図２の二点鎖線矢印は、作動油の流れを示す。例えば作業機械の駆動を開始すると、作動油が油圧回路内を流れ始め、それに伴って空間Ｓ１に作動油が流入してケース１０の内部が作動油で満たされる。
【００５２】
空間Ｓ１に流入した作動油は、濾材２１の外側から内側へ向って流れ、濾材２１により作動油中の塵埃等が除去される。濾過後の作動油は空間Ｓ２に流出する。その後、濾過後の作動油は、流出部１２から空間Ｓ３（図１参照）に流出する。
【００５３】
濾過を繰り返すと濾材２１に目詰まりが生じるため、フィルタエレメント２０の交換を行う。濾材２１の目詰まりは、フィルタエレメント２０の稼働時間と略比例するため、ＩＣタグ４０でフィルタエレメント２０の稼働時間を測定し、アンテナ５１はＩＣタグ４０の読み取りを行い外部機器に送信する。フィルタエレメント２０の稼働時間が一定時間を経過したら、外部機器は、フィルタエレメント２０の交換を促す表示を行う。交換後のフィルタエレメント２０には、交換前のフィルタエレメント２０と異なるＩＣタグ４０が設けられており、ＩＣタグ４０を読み取ることで交換後のフィルタエレメント２０についても稼働時間の測定を行う。また、交換後のフィルタエレメントとしてＩＣタグ４０が設けられていない模造品等が使用された場合には、勿論ＩＣタグ４０が読み取れないため、外部機器は、エラー表示を行ったり、フィルタ装置の動作を不可としたりすることができる。また例えば、交換後のフィルタエレメント２０に設けられたＩＣタグ４０を読み取ることで、外部機器は、所定のフィルタエレメント以外のフィルタエレメントが設けられていることを判定することも可能である。
【００５４】
本実施の形態によれば、プレート２４に凸部２４ｄを設け、凸部２４ｄの内部にＩＣタグ４０を設けるため、フィルタエレメント２０にＩＣタグ４０を取り付けつつも、ＩＣタグ４０と作動油との接触を避けることができる。これにより、ＩＣタグ４０の故障を防ぐことができる。
【００５５】
また、本実施の形態によれば、プレート２４が樹脂製であり、アンテナ５１が孔３１ａの内周面側の開口から露出するため、蓋体３０が金属製であったとしてもＩＣタグ４０の記録情報を正確に読み取ることができる。さらに、ＩＣタグ４０とアンテナ５１とが隣接し、かつＩＣタグ４０とアンテナ５１とが直線上に並ぶため、ＩＣタグ４０とアンテナ５１とを極力近くに配置することができ、ＩＣタグ４０の記録情報を正確に読み取ることができる。
【００５６】
なお、本実施の形態では、プレート２４を樹脂により形成したが、プレート２４の材質は樹脂に限られない。プレート２４は耐腐食性の高い材料であればよく、例えばステンレス等の金属であってもよい。端面４０ａがプレート２４から露出しているため、センシングに不具合は生じない。
【００５７】
＜第２の実施の形態＞
本発明の第２の実施の形態は、濾材とプレートとを接着する接着剤の内部に板状のＩＣタグを設ける形態である。以下、第２の実施の形態にかかるリターンフィルタ２について説明する。なお、第１の実施の形態と同一の部分については、同一の符号を付し、説明を省略する。
【００５８】
図６は、リターンフィルタ２を斜め下方から見たときの断面斜視図であり、一部を拡大表示した図である。図６では断面を示すハッチングを省略する。
【００５９】
リターンフィルタ２は、タンク１００の内部に設けられるものであり、主として、ケース１０と、フィルタエレメント２０Ａと、蓋体３０と、ＩＣタグ４０Ａと、アンテナ組立体５０と、を有する。
【００６０】
フィルタエレメント２０Ａは、主として、濾材２１と、外筒２２と、内筒２３と、プレート２４Ａと、プレート２５（図６では図示省略）と、ＩＣタグ４０Ａを有する。プレート２４とプレート２４Ａとの差異は、凸部２４ｄ及び穴２４ｅの有無であり、プレート２４Ａは凸部２４ｄ及び穴２４ｅを有しない。
【００６１】
濾材２１とプレート２４Ａとの間には接着剤６５が封入されており、濾材２１とプレート２４Ａとは接着剤６５により接着されている。この接着剤６５には、ＩＣタグ４０Ａが封入される。
【００６２】
図７は、フィルタエレメント２０Ａの平面図であり、プレート２４Ａを部分的に切断した図である。
【００６３】
ＩＣタグ４０Ａは、略中空円板形状であり、ＩＣタグ４０Ａの内径は、濾材２１の内径より大きい。したがって、濾材２１とプレート２４とを接着する接着剤６５の内部にＩＣタグ４０Ａを設けることが可能となる。
【００６４】
本実施の形態によれば、濾材２１とプレート２４Ａとを接着する接着剤６５の内部にＩＣタグ４０Ａを設けるため、フィルタエレメント２０ＡにＩＣタグ４０Ａを取り付けつつも、ＩＣタグ４０Ａと作動油との接触を避けることができる。これにより、ＩＣタグ４０Ａの故障を防ぐことができる。
【００６５】
また、本実施の形態によれば、濾材２１とプレート２４Ａとを接着する接着剤６５にＩＣタグ４０Ａを埋め込むため、ＩＣタグ４０Ａを樹脂でコーティングする工数や費用を削減することができる。
【００６６】
また、本実施の形態によれば、ＩＣタグ４０Ａが略中空円板形状であるため、ＩＣタグ４０Ａとアンテナ５１との位置合わせが不要であり、リターンフィルタ２の組み立てが容易である。
【００６７】
なお、本実施の形態では、プレート２４Ａを樹脂により形成したが、プレート２４Ａは金属で形成されていてもよい。プレート２４Ａが金属製であっても、濾材２１側は金属で覆われていないため、センシングは可能である。
【００６８】
＜第３の実施の形態＞
本発明の第３の実施の形態は、第２の実施の形態と同様、濾材とプレートとを接着する接着剤の内部に板状のＩＣタグを設ける形態である。以下、第３の実施の形態にかかるリターンフィルタ３について説明する。なお、第１の実施の形態又は第２の実施の形態と同一の部分については、同一の符号を付し、説明を省略する。
【００６９】
第２の実施の形態にかかるリターンフィルタ２と本実施の形態にかかるリターンフィルタ３との差異は、ＩＣタグの形状のみである。リターンフィルタ３について、リターンフィルタ２との相違点を中心に説明する。
【００７０】
図８は、リターンフィルタ３を斜め下方から見たときの断面斜視図であり、一部を拡大表示した図である。図８では断面を示すハッチングを省略する。
【００７１】
リターンフィルタ３は、タンク１００の内部に設けられるものであり、主として、ケース１０と、フィルタエレメント２０Ｂと、蓋体３０と、ＩＣタグ４０Ｂと、アンテナ組立体５０と、を有する。
【００７２】
フィルタエレメント２０Ｂは、主として、濾材２１と、外筒２２と、内筒２３と、プレート２４Ｂと、プレート２５（図６では図示省略）と、ＩＣタグ４０Ｂを有する。プレート２４とプレート２４Ｂとの差異は、凸部２４ｄ及び穴２４ｅの有無であり、プレート２４Ｂは凸部２４ｄ及び穴２４ｅを有しない。また、プレート２４Ｂには、板状部２４ａの上側の面にリブ２４ｆが形成される。リブ２４ｆは、プレート２４Ｂの成形時に形成され、マーキングの役割を果たす（後述）。
【００７３】
濾材２１とプレート２４Ｂとの間には接着剤６５が封入されており、濾材２１とプレート２４Ｂとは接着剤６５により接着されている。この接着剤６５には、ＩＣタグ４０Ｂが封入される。
【００７４】
図９は、フィルタエレメント２０Ｂの平面図であり、プレート２４Ｂを部分的に切断した図である。
【００７５】
ＩＣタグ４０Ｂは、略円板形状である。ＩＣタグ４０Ｂの直径は、濾材２１の幅ｗより小さい。したがって、濾材２１とプレート２４Ｂとを接着する接着剤の内部にＩＣタグ４０Ｂを設けることが可能となる。
【００７６】
濾材２１に接着剤６５を塗布するときにＩＣタグ４０Ｂを接着剤６５に封入し、その後接着剤６５の上にプレート２４Ｂを載置する。このとき、平面視においてリブ２４ｆとＩＣタグ４０Ｂとが重なるようにする。フィルタエレメント２０Ｂをケース１０の内部に挿入するときは、平面視においてリブ２４ｆとアンテナ組立体５０とが直線上に並ぶようにする。その結果、ＩＣタグ４０Ｂとアンテナ５１が直線上に並ぶように、ケース１０及び蓋体３０により形成される内部空間にフィルタエレメント２０Ｂが設けられる。
【００７７】
本実施の形態によれば、濾材２１とプレート２４Ｂとを接着する接着剤の内部にＩＣタグ４０Ｂを設けるため、フィルタエレメント２０ＢにＩＣタグ４０Ｂを取り付けつつも、ＩＣタグ４０Ｂと作動油との接触を避けることができる。これにより、ＩＣタグ４０Ｂの故障を防ぐことができる。また、濾材２１とプレート２４Ｂとを接着する接着剤にＩＣタグ４０Ｂを埋め込むため、ＩＣタグ４０Ｂを樹脂でコーティングする工数や費用を削減することができる。
【００７８】
また、本実施の形態によれば、ＩＣタグ４０Ｂが略円板形状であり、直径が濾材２１の幅ｗより小さいため、接着剤にＩＣタグ４０Ｂを封入するのが容易である。
【００７９】
なお、本実施の形態では、プレート２４Ｂを樹脂により形成したが、プレート２４Ａと同様、プレート２４Ｂは金属で形成されていてもよい。また、本実施の形態では、略円板形状の小型のＩＣタグ４０Ｂを１つ設けたが、ＩＣタグ４０Ｂを複数設けてもよい。例えば、ＩＣタグ４０Ｂを放射状に複数（４個、６個、８個等）設けるようにしてもよい。図１０は、ＩＣタグ４０Ｂを放射状に４個設けた変形例にかかるフィルタエレメント２０Ｃの概略図である。このようにＩＣタグ４０Ｂを放射状に複数設けることで、フィルタエレメント２０とアンテナ５１との位置あわせが不要となる。またフィルタエレメント２０Ｃでは、リブ２４ｆは必須ではないため、リブ２４ｆが形成されていないプレート２４Ａを使用することができる。
【００８０】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【００８１】
また、「略」とは、厳密に同一である場合のみでなく、同一性を失わない程度の誤差や変形を含む概念である。例えば、「略円筒形状」とは、厳密に円筒形状の場合には限られず、例えば円筒形状と同一視できる場合を含む概念である。また、例えば、単に直交、平行、一致等と表現する場合において、厳密に直交、平行、一致等の場合のみでなく、略平行、略直交、略一致等の場合を含むものとする。
【００８２】
また、「近傍」とは、基準となる位置の近くのある範囲（任意に定めることができる）の領域を含むことを意味する。例えば、端近傍という場合に、端の近くのある範囲の領域であって、端を含んでもいても含んでいなくてもよいことを示す概念である。
【符号の説明】
【００８３】
１、２、３：リターンフィルタ
９        ：サクションストレーナ
１０      ：ケース
１１      ：底面
１２      ：流出部
１３      ：取付部材
２０、２０Ａ、２０Ｂ、２０Ｃ：フィルタエレメント
２１      ：濾材
２２      ：外筒
２３      ：内筒
２４、２４Ａ、２４Ｂ：プレート
２４ａ    ：板状部
２４ｂ    ：筒状部
２４ｃ    ：筒状部
２４ｄ    ：凸部
２４ｅ    ：穴
２４ｆ    ：リブ
２５      ：プレート
２５ａ    ：凹部
２５ｂ    ：孔
３０      ：蓋体
３１      ：筒状部
３１ａ    ：孔
３１ｂ    ：突起
３２      ：カバー
３３      ：取付部
４０、４０Ａ、４０Ｂ：ＩＣタグ
４０ａ    ：端面
５０      ：アンテナ組立体
５１      ：アンテナ
５１ａ    ：端面
６１、６２：シール部材
６３      ：バルブ
６５      ：接着剤
１００    ：タンク
１０１    ：底面
１０２    ：上面
１０２ａ  ：開口部
１０３    ：側面
１０５    ：仕切り板
【図１】
2019115879.tif 000003
【図２】
2019115879.tif 000004
【図３】
2019115879.tif 000005
【図４】
2019115879.tif 000006
【図５】
2019115879.tif 000007
【図６】
2019115879.tif 000008
【図７】
2019115879.tif 000009
【図８】
2019115879.tif 000010
【図９】
2019115879.tif 000011
【図１０】
2019115879.tif 000012